(57)【要約】【課題】入力部を有するパネルを回動可能に支持する構成において、粉塵の影響を受けにくい手段を提供すること。【解決手段】  複合機１０は、開口４９により外部に開放された内部空間１９に係合穴８１を有するプリンタ筐体１４と、操作キー部７２及びタッチパネル７３が設けられた第１面７０Ａ、及び、当該第１面７０Ａの反対にある第２面７０Ｂを有するパネル７０と、プリンタ筐体１４に設けられており、パネル７０を回動可能に支持する支持穴１７と、パネル７０の第２面７０Ｂから突出し、プリンタ筐体１４の開口４９から内部空間１９に挿入されたアーム部材５０と、アーム部材５０においてプリンタ筐体１４内に挿入された部分に設けられており、係合穴８１と係合可能な被係合部材５５と、を具備している。【選択図】図９
2018052003.tif 000002
【特許請求の範囲】
【請求項１】
開口により外部に開放された内部空間に係合部を有する本体と、
入力部、上記入力部が設けられた第１面、及び、当該第１面の反対にある第２面を有する入力パネルと、
上記本体に設けられており、上記入力パネルを回動可能に支持する支持部と、
上記入力パネルの第２面から突出し、上記本体の開口から上記内部空間に挿入されたアーム部材と、
上記アーム部材において上記本体内に挿入された部分に設けられており、上記係合部と係合可能な被係合部と、を具備しており、
上記入力パネルは、上記アーム部材を介して上記本体に対して回動可能に構成され、
上記係合部と上記被係合部との係合により、上記入力パネルの回動が規制されるように構成されているパネル装置。
【請求項２】
上記本体の開口周りに設けられており、上記アーム部材と上記開口との隙間を塞ぐ防塵部材を更に具備する請求項１に記載のパネル装置。
【請求項３】
上記本体は、上記内部空間と他の内部空間とを区画する壁を有する請求項１又は２に記載のパネル装置。
【請求項４】
上記係合部は、上記入力パネルの回動中心線と同心の円弧に沿って複数が並んでおり、
上記被係合部は、上記係合部と係合する第１位置と、上記係合部から離れた第２位置と、に移動可能であり、
上記被係合部を上記係合部に向かって付勢する第１付勢部材を更に具備する請求項１から３のいずれかに記載のパネル装置。
【請求項５】
上記アーム部材は、上記第２面と交差する第１側面、及び当該第１側面の反対にある第２側面を有しており、
上記被係合部は、上記第１側面に配置されており、
上記第２側面に配置されており、当該第２側面と交差する方向へ移動可能な移動部材と、上記移動部材を上記内部空間を区画する壁に向かって付勢する第２付勢部材を更に有しており、
上記移動部材は、上記アーム部材に対して摺動するホルダと、上記ホルダに保持されており、上記内部空間の壁と接触する弾性部材と、を有する請求項４に記載のパネル装置。
【請求項６】
上記係合部と上記被係合部とが係合する係合位置と上記入力パネルの回動中心線との第１垂直距離は、上記入力パネルにおける回動中心線と直交する方向の中心位置と上記入力パネルの回動中心線との第２垂直距離よりも大きい請求項１から５のいずれかに記載のパネル装置。
【請求項７】
上記本体及び上記アーム部材の一方に設けられており、上記回動中心線周りに沿って弧形状に延びる第１凸部又は第１凹部と、
上記本体及び上記アーム部材の他方に設けられており、上記第１凸部又は第１凹部と嵌合する第２凹部又は第２凸部と、を更に備える請求項１から６のいずれかに記載のパネル装置。
【請求項８】
上記入力部は、ユーザの押下によって入力されるものであり、
上記入力パネルにおいて最も回動先端側に配置された上記入力部と上記入力パネルの回動中心線との第３垂直距離は、上記第１垂直距離以下である請求項１から７のいずれかに記載のパネル装置。
【請求項９】
上記入力パネルは、上記回動中心線に沿った方向の寸法が、上記入力パネルの回動中心線と直交する方向の寸法より長い形状である請求項１から８のいずれかに記載のパネル装置。
【請求項１０】
請求項１から９のいずれかに記載のパネル装置と、
シートに画像を記録する記録部とを備える画像記録装置。
【発明の詳細な説明】
【技術分野】
【０００１】
本発明は、操作入力などを行う入力部を備えたパネル装置、及びそれを備えた画像記録装置に関する。
【背景技術】
【０００２】
例えば、画像記録装置において、ユーザが操作パネルにおいて入力操作をし易いように、操作パネルの傾きを可変にした画像記録装置が知られている（特許文献１）。このような画像記録装置においては、画像記録装置の本体に、操作パネルを例えば水平な軸周りに回動可能に設けるとともに、所望の角度で操作パネルを固定可能にしている。
【先行技術文献】
【特許文献】
【０００３】
【特許文献１】特開２００７−３３４１５７号公報
【発明の概要】
【発明が解決しようとする課題】
【０００４】
画像記録装置は、屋外で使用されることも想定される。屋外は、屋内よりも粉塵が多いので、操作パネルの回動機構に粉塵が溜まり、溜まった粉塵が回動機構の動作を阻害するおそれがある。また、操作パネルの回動は円滑であることが望ましい一方、固定された操作パネルへの入力においては、操作パネルが揺れたり、傾いたりすることは望ましくない。
【０００５】
本発明は、上記の事情に鑑みてなされたものであり、その目的は、入力部を有するパネルを回動可能に支持する構成において、粉塵の影響を受けにくい手段を提供することにある。
【課題を解決するための手段】
【０００６】
(1)  本発明に係るパネル装置は、開口により外部に開放された内部空間に係合部を有する本体と、入力部、上記入力部が設けられた第１面、及び、当該第１面の反対にある第２面を有する入力パネルと、上記本体に設けられており、上記入力パネルを回動可能に支持する支持部と、上記入力パネルの第２面から突出し、上記本体の開口から上記内部空間に挿入されたアーム部材と、上記アーム部材において上記本体内に挿入された部分に設けられており、上記係合部と係合可能な被係合部と、を具備しており、上記入力パネルは、上記アーム部材を介して上記本体に対して回動可能に構成され、上記係合部と上記被係合部との係合により、上記入力パネルの回動が規制されるように構成されている。
【０００７】
本体の内部空間において、係合部と被係合部とが係合するので、係合箇所に屋外の粉塵などが溜まりにくい。
【０００８】
(2)  好ましくは、上記本体の開口周りに設けられており、上記アーム部材と上記開口との隙間を塞ぐ防塵部材を更に具備する。
【０００９】
防塵部材によって、アーム部材と開口との隙間から本体の内部空間へ粉塵が侵入することが抑制される。また、入力パネルの回動に伴って、防塵部材とアーム部材とが摺接することにより、アーム部材に付着した粉塵が拭き取られて、本体の内部空間に粉塵が侵入することが抑制される。
【００１０】
(3)  好ましくは、上記本体は、上記内部空間と他の内部空間とを区画する壁を有する。
【００１１】
上記構成によれば、内部空間から他の内部空間へ粉塵が侵入することが抑制される。
【００１２】
(4)  好ましくは、上記係合部は、上記入力パネルの回動中心線と同心の円弧に沿って複数が並んでおり、上記被係合部は、上記係合部と係合する第１位置と、上記係合部から離れた第２位置と、に移動可能であり、上記被係合部を上記係合部に向かって付勢する第１付勢部材を更に具備する。
【００１３】
上記構成によれば、被係合部が、複数の係合部の１つと係合することにより、係合部と対応する角度においてパネルの回動を規制することができる。
【００１４】
(5)  好ましくは、上記アーム部材は、上記第２面と交差する第１側面、及び当該第１側面の反対にある第２側面を有しており、上記被係合部は、上記第１側面に配置されており、上記第２側面に配置されており、当該第２側面と交差する方向へ移動可能な移動部材と、上記移動部材を上記内部空間を区画する壁に向かって付勢する第２付勢部材を更に有しており、上記移動部材は、上記アーム部材に対して摺動するホルダと、上記ホルダに保持されており、上記内部空間の壁と接触する弾性部材と、を有する。
【００１５】
第１側面の反対にある第２側面において、内部空間の壁に弾性部材を接触させることによって、入力パネルを回動させる回動操作の操作感を良好にすることができる。
【００１６】
(6)  好ましくは、上記係合部と上記被係合部とが係合する係合位置と上記入力パネルの回動中心線との第１垂直距離は、上記入力パネルにおける回動中心線と直交する方向の中心位置と上記入力パネルの回動中心線との第２垂直距離よりも大きい。
【００１７】
第１垂直距離が第２垂直距離よりも大きいので、被係合部と係合部とが係合する係合位置が、入力パネルの回動先端部に比較的に近い。例えば係合位置が回動中心線と隣接する位置である場合と比較すると、被係合部と係合部とが係合を維持するために必要な力を小さくして、安定的に入力パネルを支持することができる。
【００１８】
(7)  好ましくは、 上記本体及び上記アーム部材の一方に設けられており、上記回動中心線周りに沿って弧形状に延びる第１凸部又は第１凹部と、上記本体及び上記アーム部材の他方に設けられており、上記第１凸部又は第１凹部と嵌合する第２凹部又は第２凸部と、を更に備える。
【００１９】
第１凸部又は第１凹部と、第２凹部又は第２凸部との嵌合により、被係合部と係合部との位置関係を安定的に規定することができる。
【００２０】
(8)  好ましくは、上記入力部は、ユーザの押下によって入力されるものであり、上記入力パネルにおいて最も回動先端側に配置された上記入力部と上記回動中心線との第３垂直距離は、上記第１垂直距離以下である。
【００２１】
入力部が押しボタンやタッチパネルなどの押下されるものである場合に、ユーザが入力部を押下することによって、パネルが揺れたり傾いたりする不具合を抑制するために、被係合部と係合部とが係合を維持するために必要な力を小さくすることができる。
【００２２】
(9)  好ましくは、上記入力パネルは、上記回動中心線に沿った方向の寸法が、上記回動中心線と直交する方向の寸法より長い形状である。
【００２３】
上記構成によれば、回動中心線に沿った方向の端部近傍において入力操作及び回動操作がなされた場合に、回動中心線に交差する軸周りにパネルを回動させる大きなモーメントが生じる。そのようなモーメントが生じる場合であっても、入力操作及び回動操作の良好な操作感を得ることが容易である。
【００２４】
(10)  本発明に係る画像記録装置は、上記パネル装置と、シートに画像を記録する記録部とを備える。
【発明の効果】
【００２５】
本発明によれば、入力部を有する入力パネルを回動可能に支持するパネル装置において、粉塵の影響を受けにくくすることができる。
【図面の簡単な説明】
【００２６】
【図１】図１は、本発明の一実施形態に係るパネル装置としてのプリンタ部１１を含む複合機１０の斜視図であって、パネル７０が最小傾斜位置にある状態（ａ）、及び最大傾斜位置にある状態（ｂ）を示す。
【図２】図２は、プリンタ部１１の内部構造を模式的に示す縦断面図である。
【図３】図３は、最小傾斜位置におけるパネル７０の正面図である。
【図４】図４は、最小傾斜位置におけるパネル７０を後上方から視た斜視図である。
【図５】図５は、アーム部材５０周辺のパネル７０を後上方から視た斜視図であり、図５（ａ）はアーム部材５０の第１側面５１を示す図、図５（ｂ）はアーム部材５０の第２側面５２を示す図である。
【図６】図６は、プリンタ筐体１４の斜視図である。
【図７】図７は、プリンタ筐体１４の上面図である。
【図８】図８は、上板４８が取り除かれたプリンタ筐体１４の上面図である。
【図９】図９は、図８のＩＸ−ＩＸ線の矢視断面図である。
【図１０】図１０は、図９のＸ−Ｘ線の矢視断面図である。
【図１１】図１１は、上部ケース４６の内部を左上方から視た斜視図である。
【図１２】図１２は、上部ケース４６の内部を右上方から視た斜視図である。
【図１３】図１３は、アーム部材５０が取り外された状態における内部空間１９を示すプリンタ筐体１４の斜視図である。
【図１４】図１４は、アーム部材５０の周辺におけるプリンタ筐体１４を前下方から視た斜視図である。
【発明を実施するための形態】
【００２７】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上方向７Ａ及び下方向７Ｂが定義され、開口１３が設けられている面を手前（前面４１）として前方向８Ａ及び後方向８Ｂが定義され、複合機１０を手前（前面４１）から見て左方向９Ａ及び右方向９Ｂが定義される。また、以下の各部材の説明では、当該部材が複合機１０に組み付けられた状態によって、上方向７Ａ及び下方向７Ｂと前方向８Ａ及び後方向８Ｂと左方向９Ａ及び右方向９Ｂとが定義されるものとする。なお、可動部材であるパネル７０については、図１（ａ）に示されている最小傾斜位置を基準に上方向７Ａ及び下方向７Ｂと前方向８Ａ及び後方向８Ｂと左方向９Ａ及び右方向９Ｂとが定義される。
【００２８】
［複合機１０の全体構成］
図１に示されるように、複合機１０（パネル装置の一例）は、概ね直方体に形成されている。複合機１０は、その上部に、記録用紙などの原稿に記録された画像をイメージセンサによって読み取って画像データを取得するスキャナ部１２を備えている。また、複合機１０は、その下部に、上記画像データなどに基づいて、記録用紙１５（シートの一例、図２参照）に画像を記録するプリンタ部１１を備えている。プリンタ部１１におけるプリンタ筐体１４の前面４１上部には、複合機１０の操作入力手段であるパネル７０が設けられている。
【００２９】
［スキャナ部１２］
スキャナ部１２は、所謂フラットベッドスキャナとして構成されていが、ここでは、スキャナ部１２の内部構成の詳細な説明は省略される。
【００３０】
［プリンタ部１１］
プリンタ部１１は、概ね直方体に形成されており、正面に開口１３が形成されたプリンタ筐体１４（本体の一例）を有している。
【００３１】
［給紙トレイ２０、下給紙トレイ２０Ａ］
図２に示されるように、プリンタ部１１におけるプリンタ筐体１４の内部には、開口１３から前方向８Ａ及び後方向８Ｂに挿抜可能であって内部に記録用紙１５が収容される給紙トレイ２０と、給紙トレイ２０に収容された記録用紙１５を搬送路２３に沿って搬送させる搬送ローラ対６３及び排出ローラ対６６と、スキャナ部１２によって原稿から読み取られた画像データなどに基づいて、搬送路２３を搬送される記録用紙１５に画像を記録する記録部２４などが配設されている。
【００３２】
プリンタ部１１に装着された状態の給紙トレイ２０の上方向７Ａ且つ記録部２４の下方向７Ｂに給送ローラ２５が設けられている。給送ローラ２５は、給送アーム２６の先端部において軸支されている。給送ローラ２５は、給送用モータ（不図示）から駆動力が伝達されることによって回転される。給送アーム２６は、基端部に設けられた支軸２８を中心として、矢印２９の方向に回動する。これにより、給送ローラ２５は、給紙トレイ２０または当該給紙トレイ２０に支持された記録用紙１５に対して、当接及び離間が可能である。また、給紙トレイ２０の下方向７Ｂには下給紙トレイ２０Ａがプリンタ筐体１４に対して前方向８Ａ及び後方向８Ｂに挿抜可能に設けられている。下給紙トレイ２０Ａの構造と、それに収容された記録用紙１５の搬送及び画像の記録は、給紙トレイ２０の場合と同様であるので、詳細な説明、並びに図２への図示は省略される。
【００３３】
［排紙トレイ２１］
画像が記録された記録用紙１５は、給紙トレイ２０の上側に設けられた排紙トレイ２１に排出され、排紙トレイ２１に載置される。ここで、排紙トレイ２１は、給紙トレイ２０の上側に給紙トレイ２０と重ねられて設けられており、給紙トレイ２０と一体に開口１３に挿抜される。給紙トレイ２０が開口１３に挿入されている状態において、排紙トレイ２１は、開口１３の底面を構成しており、後述するパネル７０の下側に位置している。つまり、画像が記録された記録用紙１５は開口１３内に排出される。
【００３４】
［搬送路２３］
図２に示されるように、搬送路２３は、給紙トレイ２０の後端部を基点として、下方から上方に延びつつＵターンしてから、前方向８Ａに延びて排紙トレイ２１に至る通路である。搬送路２３は、所定間隔を隔てて互いに対向する第１ガイド部材３１及び第２ガイド部材３２によって構成される空間である。記録用紙１５は、搬送路２３を、図２に破線の矢印で示される向きである搬送方向１６に搬送される。
【００３５】
［搬送ローラ対６３及び排出ローラ対６６］
図２に示されるように、搬送路２３における記録部２４よりも搬送方向１６上流には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送方向１６下流には、排出ローラ６４及び拍車ローラ６５よりなる排出ローラ対６６が設けられている。拍車ローラ６５は、ばねなどの弾性部材（不図示）によって排出ローラ６４のローラ面に圧接されている。
【００３６】
搬送ローラ６１及び排出ローラ６４は、搬送用モータ（不図示）から駆動力が伝達されることによって回転される。駆動力が伝達された搬送ローラ６１及び排出ローラ６４は、ピンチローラ６２及び拍車ローラ６５との間に記録用紙１５を挟持しつつ搬送方向１６へ搬送する。
【００３７】
［記録部２４］
図２に示されるように、記録部２４は、搬送路２３の上方向７Ａに配置されている。搬送路２３の下方向７Ｂ且つ記録部２４と対向する位置には、プラテン４２が設けられている。プラテン４２は、上部によって搬送路２３を搬送される記録用紙１５を支持する部材である。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左方向９Ａ及び右方向９Ｂに往復移動可能に構成されている。キャリッジ３８が左方向９Ａ及び右方向９Ｂへ往復移動されながら、搬送路２３に沿って搬送される記録用紙１５に向かってノズル３６からインク滴が吐出される。これにより、記録用紙１５に画像が記録される。
【００３８】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００３９】
［制御部］
制御部（不図示）は、複合機１０の動作を制御するものであり、マイクロコンピュータや種々の電子部品により構成されている。制御部は、上述した搬送用モータを制御して、記録用紙１５を搬送させる。また、制御部は、記録部２４を制御して、記録用紙１５に画像を記録させる。制御部は、図１に示されるパネル７０と接続されている。制御部には、パネル７０の第１面７０Ａに設けられた入力部（図参照）による入力操作に対応する信号が入力される。
【００４０】
［パネル７０］
図１に示されるように、パネル７０の上端部近傍は、プリンタ筐体１４の前面４１を構成する部材によって回動可能に軸支されている。図３および図４に示されるように、パネル７０の上方向７Ａの端部近傍における左方向９Ａ及び右方向９Ｂのそれぞれの端部には、左方向９Ａ及び右方向９Ｂにそれぞれ延びた突起として回動軸７１が形成されている。つまり、回動軸７１は、左方向９Ａ及び右方向９Ｂに沿って延びている。プリンタ筐体１４の前面４１を構成する部材において、パネル７０の右方向９Ｂの端部から延びた回動軸７１と対向する位置には、回動軸７１と嵌合する支持穴１７（本体に設けられた支持部の一例）が形成されている。回動軸７１が、支持穴１７に挿通される。一対の回動軸７１の軸線は回動中心線９０上にあり、これにより、パネル７０は、上方向７Ａの端部近傍の回動中心線９０の周りに回動可能となる。入力パネルは、回動中心線９０に沿った方向（ここでは、左方向９Ａ及び右方向９Ｂ）の寸法が、回動中心線９０と直交する方向（例えば上方向７Ａ及び下方向７Ｂ）の寸法より長い、概略長方形形状である。
【００４１】
パネル７０は、回動軸７１周りに、図１（ａ）に示される最小傾斜位置と、図１（ｂ）に示される最大傾斜位置との間で回動可能である。最小傾斜位置は、パネル７０の回動先端がプリンタ筐体１４に最も近接する位置である。パネル７０は、最小傾斜位置において、前方向８Ａに位置する第１面７０Ａと、後方向８Ｂに位置する第２面７０Ｂとを有している。第１面７０Ａと第２面７０Ｂとはほぼ平行である。最小傾斜位置のパネル７０は、第１面７０Ａが上方向７Ａ及び下方向７Ｂと左方向９Ａ及び右方向９Ｂに沿って配置される。最大傾斜位置は、パネル７０の回動先端がプリンタ筐体１４から最も離間した位置である。最大傾斜位置のパネル７０は、その下方向７Ｂの端部が最小傾斜位置のときよりも前方向８Ａ且つ上方向７Ａに位置している。つまり、最大傾斜位置のパネル７０は、その回動先端が最小傾斜位置よりもプリンタ筐体１４から離間している。
【００４２】
［操作キー部７２及びタッチパネル７３］
図３に示されるように、パネル７０の第１面７０Ａには入力部としての操作キー部７２及びタッチパネル７３が設けられている。パネル７０の第１面７０Ａには、ユーザの押下によって入力される入力部が左方向９Ａ及び右方向９Ｂに並んで配置されている。本実施形態では、図３に示されるように、入力部として、操作キー部７２及びタッチパネル７３が第１面７０Ａに配設されている。つまり、本実施形態では、ユーザの押下によって入力される入力部の一例は操作キー部７２であり、他の一例はタッチパネル７３である。もちろん、入力部は全てが操作キー部７２であってもよく、全てがタッチパネル７３であってもよい。また、本実施形態においては、操作キー部７２及びタッチパネル７３はそれぞれ１個配設されているが、操作キー部７２及びタッチパネル７３の数は１個に限らない。操作キー部７２及びタッチパネル７３の内部には、制御回路基板（不図示）が組み込まれている。操作キー部７２には、複数の操作キーが配置されており、各操作キーの押下に応じて制御回路基板が所定の処理を行う。
【００４３】
制御部は、タッチパネル７３に、ユーザへの指示や画像記録に関する情報などを表示させる。つまり、タッチパネル７３は、制御部に制御されることによって装置状態の表示や画像記録に関する表示などを行う表示処理を実行する。ユーザは、タッチパネル７３に表示された情報に基づいて、タッチパネル７３に表示された画像や操作キー部７２を押圧することによって、画像記録の実行などを指示する。操作キー部７２及びタッチパネル７３は、当該押圧に基づく信号を制御部に出力する。つまり、操作キー部７２及びタッチパネル７３は、当該押圧を受け付ける操作処理を実行する。また、画像記録の実行を制御部に指示された記録部２４は、画像記録を実行する。つまり、記録部２４は、操作キー部７２及びタッチパネル７３による処理に応じて、記録用紙１５に画像を記録する。
【００４４】
［アーム部材５０］
図４に示されるように、パネル７０の第２面７０Ｂには、左方向９Ａ及び右方向９Ｂにおける略中央部に、アーム部材５０が設けられている。アーム部材５０は、第２面７０Ｂから突出している。
【００４５】
図４、図５に示されるように、アーム部材５０は、第２面７０Ｂと直交する第１側面５１（右方向９Ｂの側面）及び第１側面５１の反対にある第２側面５２（左方向９Ａの側面）を有する。第２側面５２は第２面７０Ｂと直交している。第１側面５１及び第２側面５２は、パネル７０の回動軸７１と同心の円弧形状である。アーム部材５０は、後端面８２、外周面８３、及び内周面８４を更に有する。後端面８２は、アーム部材５０の回動方向における端面のうち、第２面７０Ｂから遠い側に位置する端面である。外周面８３及び内周面８４は、回動中心線９０周りに延びる弧形状の外面である。外周面８３は、回動中心線９０から遠い側に位置する外面であり、内周面８４は、回動中心線９０に近い側に位置する外面である。
【００４６】
図５に示されるように、アーム部材５０は、その回動先端部（第２面７０Ｂと反対側の端部）に、パネル７０の回動の規制に関係する係合プランジャ５３および摩擦プランジャ５４を備えている。図５（ａ）に示されるように、係合プランジャ５３は、アーム部材５０の第１側面５１に設けられている。図５（ｂ）に示されるように、摩擦プランジャ５４は、アーム部材５０の第２側面５２に設けられている。係合プランジャ５３及び摩擦プランジャ５４の詳細については後述される。
【００４７】
［プリンタ筐体１４］
図６に示されるように、プリンタ筐体１４は、底部４３、右側部ケース４４、左側部ケース４５、及び上部ケース４６を備えている。右側部ケース４４及び左側部ケース４５は、底部４３の左右からそれぞれ上方に配置されている。上部ケース４６は、右側部ケース４４及び左側部ケース４５の上部間に配置されている。右側部ケース４４、左側部ケース４５、及び上部ケース４６内には、記録用紙１５の搬送機構及び当該搬送機構を制御する機器が収納されている。上部ケース４６の前方にパネル７０が配置されている。上部ケース４６の上方に図１に示されるスキャナ部１２が配置されている。底部４３、右側部ケース４４、左側部ケース４５、及び上部ケース４６の間に、開口部１８が形成されている。開口部１８内に、図１に示される排紙トレイ２１、給紙トレイ２０、及び下給紙トレイ２０Ａが収納される。
【００４８】
図７から図９に示されるように、上部ケース４６は、前方を閉じる前板４７と、上方を閉じる上板４８を備えている。図８は、上部ケース４６から上板４８が取り除かれたプリンタ筐体１４を示している。図８に示されるように、上部ケース４６は、アーム部材５０を収納する内部空間１９を備えている。上部ケース４６は、内部空間１９を囲む右壁７４、左壁７５、後壁７６、及び下壁７７を備えている。内部空間１９内に、アーム部材５０を収納可能である。前板４７、上板４８、右壁７４、左壁７５、後壁７６、及び下壁７７（これらは内部空間１９を区画する壁の一例）は、アーム部材５０を収納する内部空間１９と他の内部空間とを区画する。
【００４９】
図１０から図１２に示されるように、アーム部材５０は、前板４７に形成された開口４９（本体の開口の一例）から、内部空間１９内に挿入されている。内部空間１９は、開口４９を介して、複合機１０の外部に開放されている。
【００５０】
［係合プランジャ５３及び係合板８０］
図９、図１０に示されるように、プリンタ筐体１４は、パネル７０の回動の規制に関係する係合板８０を備えている。係合板８０は、内部空間１９内に配置されており、右壁７４に固定されている。プリンタ筐体１４の係合板８０に、アーム部材５０の係合プランジャ５３が係合されることにより、パネル７０の回動が規制される。パネル７０は、第１回動方向９１及び第２回動方向９２に回動可能である。第１回動方向９１は、パネル７０の第２面７０Ｂから第１面７０Ａに向かう方向である。第２回動方向９２は、第１回動方向９１の反対の方向である。
【００５１】
図１０に示されるように、係合プランジャ５３は、被係合部材５５（係合部と係合可能な被係合部の一例）と、被係合部材５５を係合板８０に向かって付勢する圧縮バネ５６（被係合部を係合部に向かって付勢する第１付勢部材の一例）と、を備えている。被係合部材５５は、有底筒状の筒部材５８と、筒部材５８に固定された被係合片５９と、を有する。ここで、アーム部材５０は、第１側面５１から左方向９Ａに沿って形成された凹部５７を有している。筒部材５８の一部は凹部５７内に配置され、圧縮バネ５６は、筒部材５８及び凹部５７の内部に配置されている。筒部材５８は角筒状に形成されている。凹部５７の内面は、筒部材５８の外面に対応して形成されており、筒部材５８は、第１側面５１と交差する方向、すなわち左方向９Ａ及び右方向９Ｂに移動自在である。被係合部材５５は、圧縮バネ５６により、右方向９Ｂに付勢されている。
【００５２】
図５（ｂ）に示されるように、被係合片５９は、回動中心線９０と被係合片５９とを結ぶ直線９６を軸線とする三角柱形状である。被係合片５９は、前方に面する前傾斜面５９ａと、後方に面する後傾斜面５９ｂと、を有している。前傾斜面５９ａ及び後傾斜面５９ｂの境界において、被係合片５９は、最も右方向９Ｂに突出している。前傾斜面５９ａ及び後傾斜面５９ｂは、パネル７０の回動操作に伴って、被係合部材５５と係合板８０との係合が容易に解除されるように、設けられている。
【００５３】
図９から図１１に示されるように、係合板８０は、内部空間１９を区画する右壁７４に設けられて内部空間１９に露出されている。係合板８０は、パネル７０の回動中心線９０と同心の円弧９５に沿って延びる板状部材である。係合板８０は、円弧９５に沿って配置された複数の係合穴８１（係合部の一例）を有する。各係合穴８１は、係合板８０の左側面８０ａから右方向９Ｂへ並ぶように形成されている。各係合穴８１内に、係合プランジャ５３の被係合片５９が進入可能である。被係合片５９は、被係合片５９が係合穴８１内に位置する第１位置と、当該被係合片５９が係合穴８１内から退いてアーム部材５０側に位置する第２位置との間で移動可能である。被係合片５９が第１位置にあるとき、被係合部材５５が係合板８０に係合している。この状態では、パネル７０の回動が規制されている。ここで、被係合部材５５の被係合片５９は、前傾斜面５９ａ及び後傾斜面５９ｂを有しているので、パネル７０を回動操作する外力が加えられると、当該外力は、圧縮バネ５６の付勢力に逆らって被係合部材５５をアーム部材５０の方（左方向９Ａ）に退かせる方向に作用する。この外力により被係合部材５５が係合穴８１内から退けられて被係合片５９が第２位置に到達すると、当該係合が解除される。係合が解除された状態では、パネル７０は回動できる。
【００５４】
図９に示されるように、被係合片５９が各係合穴８１と係合する係合位置９３は、円弧９５に沿って並んでいる。異なる係合位置９３において被係合片５９を各係合穴８１に係合させることにより、パネル７０を異なる傾斜角度に保つことができる。
【００５５】
係合位置９３と回動中心線９０との距離（第１垂直距離１０１）は、パネル７０の中心位置９４と回動中心線９０との距離（第２垂直距離１０２）よりも大きい。中心位置９４は、回動中心線９０と直交する方向におけるパネル７０の中心位置である。係合板８０と被係合部材５５との係合により、回動中心線９０から中心位置９４よりも遠方において、パネル７０がプリンタ筐体１４に支持されるので、パネル７０が安定的に支持される。
【００５６】
図９に示されるように、第３垂直距離１０３は、パネル７０において最も回動先端に近い位置に配置された入力部（例えばタッチパネル７３の下方向７Ｂ端）と回動中心線９０との距離を示している。第３垂直距離１０３は第１垂直距離１０１よりも小さい。そのため、タッチパネル７３の下方向７Ｂ端において入力操作が行われたときの操作感が良好である。
【００５７】
［摩擦プランジャ５４］
図１０に示されるように、摩擦プランジャ５４は、移動部材８５と、移動部材８５を左壁７５に向かって付勢する圧縮バネ８６（移動部材を壁に向かって付勢する第２付勢部材の一例）と、を備えている。移動部材８５は、有底筒状のホルダ部材８８と、ホルダ部材８８に保持されたラバー部材（弾性部材の一例）８９と、を有する。ここで、アーム部材５０は、第２側面５２から右方向９Ｂに沿って形成された凹部８７を有している。ホルダ部材８８の一部は凹部８７内に配置され、圧縮バネ８６は、ホルダ部材８８及び凹部８７の内部に配置されている。凹部８７の内面は、ホルダ部材８８の外面に対応して形成されており、ホルダ部材８８は、第２側面５２と交差する方向、すなわち左方向９Ａ及び右方向９Ｂに移動自在である。移動部材８５は、圧縮バネ８６により、左方向９Ａに付勢されている。
【００５８】
ラバー部材８９は、例えば、表面に摺動性を高めるコーティングを施したゴム（高摺動性ゴムと称する）から形成されている。ラバー部材８９は、角柱形状を有しており、その軸方向が第２側面５２と垂直に配置される。弾性部材であるラバー部材８９が左壁７５に接触することによって、パネル７０を回動操作する際のガタつきを抑えることができ、回動操作の操作感を良好にすることができる。
【００５９】
［アーム案内部６０、位置決め溝７８］
図１３に示されるように、複合機１０は、内部空間１９内に、アーム部材５０の回動を案内するためのアーム案内部６０（第１凸部又は第２凸部の一例）を有する。ここで、図１３は、アーム部材５０が取り外された状態における内部空間１９周辺のプリンタ筐体１４を示している。アーム案内部６０は、下壁７７に固定されており、下壁７７から上方に、すなわちアーム部材５０に向けて突出している。
【００６０】
図１４に示されるように、アーム部材５０は、外周面８３から回動中心線９０に向けて凹んでいる位置決め溝７８（第１凹部又は第２凹部の一例）を有する。位置決め溝７８は、アーム部材５０に回動中心線９０の周方向に沿って弧形状に延びている。アーム案内部６０の一部は、位置決め溝７８内に進入しており、アーム案内部６０は位置決め溝７８に嵌合している。アーム案内部６０の左右の側面６０Ａ、６０Ｂ間の幅は、位置決め溝７８の左右の内面７８Ａ、７８Ｂ間の幅に概ね等しいので、パネル７０が回動操作されるときに回動軸７１に交差する軸周りにパネル７０が回動するのを抑えることができる。被係合部材５５と係合穴８１との位置関係及びラバー部材８９と左壁７５との位置関係の変動が抑制される。特にラバー部材８９と左壁７５との間の摩擦力の変動が抑制されるので、パネル７０の回動操作の操作感を良好にすることができる。
【００６１】
［防塵部材７９］
図１４に示されるように、複合機１０は、アーム部材５０と開口４９との隙間を塞ぐ防塵部材７９を備えている。防塵部材７９は、前板４７に固定され、開口４９の周りに設けられている。防塵部材７９は、例えば短冊状のゴム片７９ａの集合体である。防塵部材７９は、アーム部材５０の外周面、すなわち第１側面５１、第２側面５２、外周面８３、及び内周面８４にそれぞれ接触しており、上記隙間を常に塞いでいる。パネル７０の回動に伴って、アーム部材５０の第１側面５１、第２側面５２、外周面８３、及び内周面８４は防塵部材７９に対して摺動する。
【００６２】
［実施形態の作用効果］
上記実施形態によれば、プリンタ筐体１４の内部空間１９において、係合穴８１と被係合部材５５とが係合するので、係合箇所が外部の粉塵の影響を受けにくい。
【００６３】
また、防塵部材７９によって、アーム部材５０と開口４９との隙間から粉塵がプリンタ筐体１４の内部空間１９へ侵入することが抑制される。また、入力パネル７０の回動に伴って、防塵部材７９とアーム部材５０とが摺接することにより、アーム部材５０に付着した粉塵が拭き取られて、プリンタ筐体１４の内部空間１９に侵入することが抑制される。
【００６４】
また、内部空間１９が前板４７、上板４８、右壁７４、左壁７５、後壁７６、及び下壁７７により閉空間として区画されているので、内部空間１９からプリンタ筐体１４の他の内部空間へ粉塵が侵入することが抑制される。
【００６５】
また、被係合部材５５が、複数の係合穴８１の１つと係合することにより、係合穴８１と対応する角度においてパネル７０の回動を規制することができる。
【００６６】
また、第１側面５１の反対にある第２側面５２において、内部空間１９の左壁７５にラバー部材８９を接触させることによって、入力パネル７０を回動させる回動操作の操作感を良好にすることができる。
【００６７】
また、第１垂直距離１０１が第２垂直距離１０２よりも大きいので、被係合部材５５と係合穴８１とが係合する係合位置９３が、入力パネル７０の回動先端部に比較的に近い。例えば係合位置９３が回動中心線９０と隣接する位置である場合と比較すると、被係合部材５５と係合穴８１とが係合を維持するために必要な力を小さくして、安定的に入力パネル７０を支持することができる。
【００６８】
また、アーム案内部６０と位置決め溝７８との嵌合により、被係合部材５５と係合穴８１との位置関係を安定的に規定することができる。
【００６９】
また、第３垂直距離１０３が第１垂直距離１０１よりも小さいので、ユーザが操作キー部７２及びタッチパネル７３を押下することによって、パネル７０が揺れたり傾いたりする不具合を抑制するために、被係合部材５５と係合穴８１とが係合を維持するために必要な力を小さくすることができる。
【００７０】
また、上記実施形態によれば、回動中心線９０に沿った方向の端部近傍において入力操作及び回動操作がなされた場合に、回動中心線９０に交差する軸周りにパネル７０を回動させる大きなモーメントが生じるが、そのようなモーメントが生じる場合であっても、入力操作及び回動操作の良好な操作感を得ることが容易である。
【００７１】
［変形例］
上記実施形態においては、複数の係合部としての係合板８０がプリンタ筐体１４の内部空間１９内に設けられ、被係合部としての被係合部材５５がアーム部材５０に設けられている。この構成に代えて、複数の係合部としての係合板８０がアーム部材５０に設けられ、被係合部としての被係合部材５５が内部空間１９内に設けられてもよい。なお、このような構成においても、パネル７０が最大傾斜位置にあるときに、アーム部材５０に設けられた係合板８０が内部空間１９内に留まるように、パネル７０の回動可能範囲が規制されている。
【００７２】
また、上記実施形態においては、被係合部としての被係合部材５５は、第１付勢部材としての圧縮バネ５６により係合穴８１に向けて付勢されているが、第１付勢部材が用いられることなく、被係合部が弾性変形可能な弾性部材によって構成されてもよい。この場合、自然状態では、弾性部材が係合穴８１に係合し、パネル７０を回転操作する外力が加えられた場合に、弾性部材が縮められて上記係合が解除される。
【００７３】
また、上記実施形態においては、防塵部材７９は、短冊状のゴム片７９ａの集合体であるが、防塵部材７９は、ブラシなど、アーム部材５０が摺動可能な他の素材からなるものであってもよい。
【００７４】
また、上記実施形態においては、アーム部材５０の回動を案内する構成として、凸部であるアーム案内部６０が内部空間１９内に設けられ、上記凸部に嵌合可能な凹部である位置決め溝７８がアーム部材５０に設けられている。この構成に代えて、アーム部材５０に凸部が設けられ、内部空間１９内に上記凸部に嵌合可能な凹部が設けられてもよい。
【００７５】
また、上記実施形態においては、パネル装置としての複合機１０は、プリンタ部１１及びスキャナ部１２を備えている。パネル装置は、パネル７０と、パネル７０を回転自在に支持する本体を有する装置であればよく、上記構成に限定されない。パネル装置は、パネル７０とパネル７０を支持するプリンタ部１１とを備えるプリンタ、又はパネル７０とパネル７０を支持するスキャナ部１２とを備えるスキャナであってもよい。
【符号の説明】
【００７６】
１０・・・複合機（パネル装置の一例）
１４・・・プリンタ筐体（本体の一例）
１７・・・支持穴（支持部の一例）
１９・・・内部空間
４７・・・前板（壁の一例）
４８・・・上板（壁の一例）
４９・・・開口
５０・・・アーム部材
５１・・・第１側面
５２・・・第２側面
５５・・・被係合部材（被係合部の一例）
５６・・・圧縮バネ（第１付勢部材の一例）
６０・・・アーム案内部（第１凸部又は第２凸部の一例）
７０・・・パネル
７０Ａ・・・第１面
７０Ｂ・・・第２面
７２・・・操作キー部（入力部の一例）
７３・・・タッチパネル（入力部の一例）
７４・・・右壁（壁の一例）
７５・・・左壁（壁の一例）
７６・・・後壁（壁の一例）
７７・・・下壁（壁の一例）
７８・・・位置決め溝（第１凹部又は第２凹部の一例）
７９・・・防塵部材
８１・・・係合穴（係合部の一例）
８５・・・移動部材
８６・・・圧縮バネ（第２付勢部材の一例）
８８・・・ホルダ部材
８９・・・ラバー部材（弾性部材の一例）
９０・・・回動中心線
９３・・・係合位置
９４・・・中心位置
１０１・・・第１垂直距離
１０２・・・第２垂直距離
１０３・・・第３垂直距離
【図１】
2018052003.tif 000003
【図２】
2018052003.tif 000004
【図３】
2018052003.tif 000005
【図４】
2018052003.tif 000006
【図５】
2018052003.tif 000007
【図６】
2018052003.tif 000008
【図７】
2018052003.tif 000009
【図８】
2018052003.tif 000010
【図９】
2018052003.tif 000011
【図１０】
2018052003.tif 000012
【図１１】
2018052003.tif 000013
【図１２】
2018052003.tif 000014
【図１３】
2018052003.tif 000015
【図１４】
2018052003.tif 000016